(57)【要約】【課題】  省エネルギのために処理負荷を軽減する設定のされているビューファインダーに対して、各種センサで使用又は使用準備が検出されるまでの間の不自然さ又は違和感がなく使用できる撮像装置を提供する。【解決手段】  本体Ｃ１と、物体像が表示される表示部ＬＣＤ、表示部ＬＣＤの像を観察者の眼に導く接眼光学系Ｏ、及び接眼光学系Ｏの観察者側に配置される接眼部Ｐの３つの部材を少なくとも有するビューファインダーＶと、を備えた撮像装置Ｃであって、観察者がビューファインダーＶを覗いていることを検出し、ビューファインダーＶを使用しているか否かを判断する使用判断手段１と、使用判断手段１による判断結果から通常モードと通常モードよりも消費電力の小さい省エネモードとを切り替えるモード切替手段２と、モード切替手段２によって切り替えられる通常モードと省エネモードとにあわせて、ビューファインダーＶを制御する処理制御手段２０と、を有する。【選択図】図１
2010062601.tif 000002
【特許請求の範囲】
【請求項１】
本体と、
物体像が表示される表示部、前記表示部の像を観察者の眼に導く接眼光学系、及び前記接眼光学系の観察者側に配置される接眼部の３つの部材を少なくとも有するビューファインダーと、
を備えた撮像装置であって、
観察者が前記ビューファインダーを覗いていることを検出し、前記ビューファインダーを使用しているか否かを判断する使用判断手段と、
前記使用判断手段による判断結果から通常モードと前記通常モードよりも消費電力の小さい省エネモードとを切り替えるモード切替手段と、
前記モード切替手段によって切り替えられる通常モードと省エネモードとにあわせて、前記ビューファインダーを制御する処理制御手段と、
を有する
ことを特徴とする撮像装置。
【請求項２】
前記処理制御手段は、前記ビューファインダーの前記表示部の画像表示の更新タイミングを制御する更新タイミング制御手段を有する
ことを特徴とする請求項１に記載の撮像装置。
【請求項３】
前記処理制御手段は、前記ビューファインダーの前記表示部の画像表示の明るさ調整を制御する明るさ調整手段を有する
ことを特徴とする請求項１又は請求項２に記載の撮像装置。
【請求項４】
前記明るさ調整手段は、前記ビューファインダーの前記表示部の画像表示の明るさ調整の更新タイミングを制御する
ことを特徴とする請求項３に記載の撮像装置。
【請求項５】
前記明るさ調整手段は、前記ビューファインダーの前記表示部の画像表示の全体の明るさを制御する
ことを特徴とする請求項３に記載の撮像装置。
【請求項６】
前記処理制御手段は、前記ビューファインダーの前記表示部に表示される画像に対する画像補正の更新タイミングを制御する画像補正処理手段を有する
ことを特徴とする請求項１乃至請求項５のいずれか１つに記載の撮像装置。
【請求項７】
前記ビューファインダーの前記表示部よりも画素数の少ない背面画像表示素子と、
前記背面画像表示素子を処理する背面画像表示素子処理手段と、
前記背面画像表示素子処理手段により前記ビューファインダーの前記表示部を処理するように切り換える背面画像表示素子モード切替手段と、
を有する
ことを特徴とする請求項１乃至請求項６のいずれか１つに記載の撮像装置。
【請求項８】
前記モード切替手段により省エネモードに切り替えられてからの時間を計測するタイマを有し、
前記処理制御手段は、前記タイマの計測する時間に応じて前記ビューファインダーを制御する
ことを特徴とする請求項１乃至請求項７のいずれか１つに記載の撮像装置。
【請求項９】
電池の残量を監視する電池残量監視手段を有し、
前記処理制御手段は、前記電池残量監視手段の計測する電池残量に応じて前記ビューファインダーを制御する
ことを特徴とする請求項１乃至請求項８のいずれか１つに記載の撮像装置。
【請求項１０】
撮像装置全体の負荷量を監視する負荷監視手段を有し、
前記処理制御手段は、前記負荷監視手段の計測する負荷に応じて前記ビューファインダーを制御する
ことを特徴とする請求項１乃至請求項９のいずれか１つに記載の撮像装置。
【請求項１１】
前記ビューファインダーの前記表示部の画素数を増加させることなく、表示画像の解像度を見かけ上向上させる解像手段を有し、
前記処理制御手段は、前記解像手段の作動状態に応じて前記ビューファインダーを制御する
ことを特徴とする請求項１乃至請求項１０のいずれか１つに記載の撮像装置。
【請求項１２】
前記使用判断手段は、観察者が前記ビューファインダーを覗いていることを検出する接眼センサを有する
ことを特徴とする請求項１乃至請求項１１のいずれか１つに記載の撮像装置。
【請求項１３】
前記ビューファインダーは、以下の条件式（１）を満足することを特徴とする請求項１乃至請求項１２のいずれか１つに記載の撮像装置。
０．３５＜Ｈ／ｆ＜０．７０                        ・・・（１）
ただし、Ｈは、液晶表示素子ＬＣＤの水平長、
ｆは、接眼の焦点距離、
である。
【請求項１４】
前記使用判断手段は、前記背面画像表示素子が点灯している場合は、前記ビューファインダーを使用していないと判断する
ことを特徴とする請求項７乃至請求項１３のいずれか１つに記載の撮像装置。
【発明の詳細な説明】
【技術分野】
【０００１】
本発明は、表示部に表示された物体像を観察するためのビューファインダーを有する撮像装置に関する。
【背景技術】
【０００２】
一般に、電子ビューファインダー（ＥＶＦ）は、バックライト等の照明を使用したり、様々な画像処理を行ったりするため、消費電力が大きいという問題があった。
【０００３】
そのため、各種センサによりビューファインダーの不使用を判断して省エネルギのためにビューファインダーの電源をＯＦＦにする技術が開示されている（特許文献１〜３）。
【特許文献１】特開２００６−６０５４２号公報
【特許文献２】特開２００３−２５００６９号公報
【特許文献３】特開２００３−２７４２５９号公報
【発明の開示】
【発明が解決しようとする課題】
【０００４】
特許文献１〜３に記載された技術では、電源がＯＦＦになった後、再度ビューファインダーを使用する際、各種センサで使用又は使用準備が検出されるまでの間、ビューファインダーはＯＦＦ状態で何も表示されていない状態であり、不自然さ又は違和感を感じるものであった。
【０００５】
本発明は従来技術のこれらの問題点に鑑みてなされたものであり、その目的は、省エネルギのために処理負荷を軽減する設定のされているビューファインダーに対して、各種センサで使用又は使用準備が検出されるまでの間の不自然さ又は違和感がなく使用できる撮像装置を提供することである。
【課題を解決するための手段】
【０００６】
上記目的を達成する本発明に係る撮像装置は、本体と、物体像が表示される表示部、前記表示部の像を観察者の眼に導く接眼光学系、及び前記接眼光学系の観察者側に配置される接眼部の３つの部材を少なくとも有するビューファインダーと、を備えた撮像装置であって、観察者が前記ビューファインダーを覗いていることを検出し、前記ビューファインダーを使用しているか否かを判断する使用判断手段と、前記使用判断手段による判断結果から通常モードと前記通常モードよりも消費電力の小さい省エネモードとを切り替えるモード切替手段と、前記モード切替手段によって切り替えられる通常モードと省エネモードとにあわせて、前記ビューファインダーを制御する処理制御手段と、を有することを特徴とする。
【発明の効果】
【０００７】
本発明によると、省エネルギのために処理負荷を軽減する設定のされているビューファインダーに対して、各種センサで使用又は使用準備が検出されるまでの間であっても、何らかの表示が点灯して、再使用時に不自然さ又は違和感がなく使用できる撮像装置を得ることができる。
【発明を実施するための最良の形態】
【０００８】
本実施形態の撮像装置について、以下説明する。
【０００９】
本実施形態の撮像装置は、本体と、物体像が表示される表示部、表示部の像を観察者の
眼に導く接眼光学系、及び接眼光学系の観察者側に配置される接眼部の３つの部材を少なくとも有するビューファインダーと、を備えた撮像装置であって、観察者がビューファインダーを覗いていることを検出し、ビューファインダーを使用しているか否かを判断するＥＶＦ使用判断手段（使用判断手段）と、ＥＶＦ使用判断手段による判断結果から通常モードと通常モードよりも消費電力の小さいＥＶＦ省エネモード（省エネモード）とを切り替えるモード切替手段と、モード切替手段によって切り替えられる通常モードとＥＶＦ省エネモードとにあわせて、ビューファインダーを制御する処理制御手段と、を有する。
【００１０】
ビューファインダーを使用しているか否かを判断し、通常モードと通常モードよりも消費電力の小さいＥＶＦ省エネモードとを切り替えるので、省エネルギのために処理負荷を軽減する設定のされているビューファインダーに対して、各種センサで使用又は使用準備が検出されるまでの間の不自然さ又は違和感がなく使用できる。
【００１１】
また、処理制御手段は、ビューファインダーの表示部の画像表示の更新タイミングを制御する更新タイミング制御手段を有することが好ましい。
【００１２】
ビューファインダーの表示部の画像表示の更新タイミングを制御することができるので、ビューファインダーの負荷を制御することが可能となる。
【００１３】
なお、ＥＶＦ省エネモードに切り替えられた場合、処理制御手段は、ビューファインダーの表示部の画像表示の更新タイミングを、全フレームレートに対して１／２，１／４，１／８等に遅くし、ビューファインダーの負荷を低減することが好ましい。
【００１４】
また、処理制御手段は、ビューファインダーの表示部の画像表示の明るさ調整を制御する明るさ調整手段を有することが好ましい。
【００１５】
ビューファインダーの表示部の画像表示の明るさ調整を制御することができるので、ビューファインダーの負荷を制御することが可能となる。
【００１６】
また、明るさ調整手段は、ビューファインダーの表示部の画像表示の明るさ調整のタイミングを制御することが好ましい。
【００１７】
例えば、ＥＶＦ省エネモードに切り替えられた場合、明るさ調整手段は、ビューファインダーの表示部の画像表示の明るさ調整のタイミングを遅くし、ビューファインダーの負荷を低減することが好ましい。
【００１８】
また、明るさ調整手段は、ビューファインダーの表示部の画像表示の全体の明るさを制御することが好ましい。
【００１９】
例えば、ＥＶＦ省エネモードに切り替えられた場合、明るさ調整手段は、ビューファインダーの表示部の画像表示の全体の明るさを暗くし、ビューファインダーの負荷を低減することが好ましい。
【００２０】
また、処理制御手段は、ビューファインダーの表示部に表示される画像の補正の更新タイミングを制御する画像補正処理手段を有することが好ましい。
【００２１】
ビューファインダーの表示部に表示される画像に対する画像補正の更新タイミングを制御することができるので、ビューファインダーの負荷を制御することが可能となる。
【００２２】
なお、ＥＶＦ省エネモードに切り替えられた場合、処理制御手段は、ビューファインダ
ーの表示部に表示される画像に対する画像補正の更新タイミングを遅くし、ビューファインダーの負荷を低減することが好ましい。
【００２３】
また、ビューファインダーの表示部よりも画素数の少ない背面画像表示素子と、背面画像表示素子を処理する背面画像表示素子処理手段と、背面画像表示素子処理手段によりビューファインダーの表示部を処理するように切り換える背面画像表示素子モード切替手段と、を有することが好ましい。
【００２４】
ビューファインダーの表示部よりも画素数の少ない背面画像表示素子を処理する背面画像表示素子処理手段によりビューファインダーの表示部を処理することができるので、ビューファインダーの負荷を低減することが可能となる。
【００２５】
なお、ＥＶＦ省エネモードに切り替えられた場合、背面画像表示素子処理手段によりビューファインダーの表示部を処理するように切り換えて、ビューファインダーの負荷を低減することが好ましい。
【００２６】
また、モード切替手段によりＥＶＦ省エネモードに切り替えられてからの時間を計測するタイマを有し、処理制御手段は、タイマの計測する時間に応じてビューファインダーを制御することが好ましい。
【００２７】
ＥＶＦ省エネモードに切り替えられてからの時間に応じて、連続的又は段階的にビューファインダーを制御することが可能となり、より細かい制御が可能となる。
【００２８】
なお、ＥＶＦ省エネモードに切り替えられてからの時間が長くなるほど、ビューファインダーの負荷を低減することが好ましい。
【００２９】
また、電池の残量を監視する電池残量監視手段を有し、処理制御手段は、電池残量監視手段の計測する電池残量に応じてビューファインダーを制御することが好ましい。
【００３０】
電池残量監視手段の計測する電池残量に応じて、連続的又は段階的にビューファインダーを制御することが可能となり、より細かい制御が可能となる。
【００３１】
なお、電池残量が少なくなるほど、ビューファインダーの負荷を低減することが好ましい。
【００３２】
また、撮像装置全体の負荷量を監視する負荷監視手段を有し、処理制御手段は、負荷監視手段の計測する負荷に応じて前記ビューファインダーを制御することが好ましい。
【００３３】
負荷監視手段の計測する負荷に応じて、連続的又は段階的にビューファインダーを制御することが可能となる。
【００３４】
なお、撮像装置全体の負荷量が多くなるほど、ビューファインダーの負荷を低減することが好ましい。
【００３５】
また、ビューファインダーの表示部の画素数を増加させることなく、表示画像の解像度を見かけ上向上させる解像手段を有し、処理制御手段は、解像手段の作動状態に応じてビューファインダーを制御することが好ましい。
【００３６】
解像手段の作動状態に応じて、連続的又は段階的にビューファインダーを制御することが可能となる。
【００３７】
なお、解像手段の作動状態では、ビューファインダーの負荷を低減することが好ましい。
【００３８】
また、ＥＶＦ使用判断手段は、観察者がビューファインダーを覗いていることを検出する接眼センサを有することが好ましい。
【００３９】
ビューファインダーを覗いていない場合には、ビューファインダーを使用していないと容易に判断することができる。
【００４０】
また、ビューファインダーは、以下の条件式（１）を満足する。
０．３５＜Ｈ／ｆ＜０．７０                        ・・・（１）
ただし、Ｈは、液晶表示素子ＬＣＤの水平長、
ｆは、接眼の焦点距離、
である。
【００４１】
条件式（１）の上限０．７０を上回ると、消費電力が増加し、好ましくない。条件式（１）の下限０．３５を下回ると、省エネモードでの視認性の劣化が大きくなり、好ましくない。
【００４２】
また、ＥＶＦ使用判断手段は、背面画像表示素子が点灯している場合は、ビューファインダーを使用していないと判断することが好ましい。
【００４３】
背面画像表示素子が点灯している場合には、ビューファインダーを使用していないと容易に判断することができ、省エネモードへ切り替えできる。
【００４４】
以下、撮像装置について図面を用いて説明する。
【００４５】
図１は、実施形態に係る撮像装置Ｃを示す図である。図１（ａ）は断面図、図１（ｂ）は後方から見た図である。撮像装置Ｃは、本体Ｃ１と、この本体Ｃ１に備えられえたビューファインダーＶとを有する。なお、Ｄは背面画像表示素子であって、液晶表示素子ＬＣＤと同方向から観察できる位置に配置されている。
【００４６】
ビューファインダーＶは少なくとも３つの部材を備えている。３つの部材とは、表示部としての液晶表示素子ＬＣＤと、接眼光学系Ｏと、接眼部Ｐである。ここで、液晶表示素子ＬＣＤは表示部であって、この液晶表示素子ＬＣＤには物体の像が表示される。また、接眼光学系Ｏは、液晶表示素子ＬＣＤに表示された画像を観察者の眼に導く光学系である。また、接眼部Ｐは観察者が覗く部分であって、接眼光学系Ｏの観察者側に配置されている。
【００４７】
図２は、本発明に係るビューファインダーＶに関わる撮像装置Ｃの第１実施形態のシステムブロック図である。
【００４８】
図２に示すように、撮像装置Ｃは、ＥＶＦ使用判断手段１と、モード切替手段２と、処理制御手段２０とを有する。
【００４９】
ＥＶＦ使用判断手段１は、観察者がビューファインダーＶを覗いていることを検出し、ビューファインダーＶを使用しているか否かを判断するもので、例えば、観察者の瞳を検出するもの等が好ましい。また、接眼部Ｐと、物体、特に観察者との距離を検出するものでもよい。さらに、本体Ｃ１の所定箇所に物体が接触したことを検出するものでもよい。
例えば、接眼部Ｐに観察者の顔の一部等が接触した場合や、接眼部Ｐ下方の本体Ｃ１に観察者の鼻が接触した場合等を検出する接眼センサや接触センサ等が好ましい。なお、ＥＶＦ使用判断手段１は、背面画像表示素子Ｄが点灯している場合は、ＥＶＦを使用していないと判断してもよい。
【００５０】
モード切替手段２は、ＥＶＦ使用判断手段１による判断結果から通常モードと通常モードよりも消費電力の小さいＥＶＦ省エネモードとを切り替えるものである。例えば、ＥＶＦ使用判断手段１がＥＶＦを使用していないと判断した場合には、ＥＶＦ省エネモードに切り替えることが好ましい。
【００５１】
処理制御手段２０は、モード切替手段２によって切り替えられる通常モードとＥＶＦ省エネモードとにあわせて、ビューファインダーＶの液晶表示素子ＬＣＤと接眼光学系Ｏ等を制御するものである。
【００５２】
図３は、図２のシステムブロック図の処理制御手段２０をより具体的に示したものである。
【００５３】
更新タイミング制御手段２１は、ビューファインダーＶの液晶表示素子ＬＣＤの画像表示のタイミングを制御するものである。例えば、モード切替手段２によってＥＶＦ省エネモードに切り替えられた場合、液晶表示素子ＬＣＤの画像表示のタイミングを全フレームレートに対して１／２、１／４、１／８のように遅くし、表示間隔を長くするものである。
【００５４】
明るさ調整手段２２は、ビューファインダーＶの液晶表示素子ＬＣＤの画像表示の明るさ調整のタイミングを制御するものである。例えば、モード切替手段２によってＥＶＦ省エネモードに切り替えられた場合、液晶表示素子ＬＣＤの明るさ調整のタイミングを遅くし、明るさ調整間隔を長くするものである。
【００５５】
また、モード切替手段２によってＥＶＦ省エネモードに切り替えられた場合、液晶表示素子ＬＣＤの明るさを全体的に暗くするものでもよい。
【００５６】
画像補正処理手段２３は、ビューファインダーＶの液晶表示素子ＬＣＤに表示される画像補正のタイミングを制御するものである。例えば、モード切替手段２によってＥＶＦ省エネモードに切り替えられた場合、液晶表示素子ＬＣＤに表示される画像補正のタイミングを遅くし、画像補正の間隔を長くするものである。
【００５７】
画像補正処理は、ディストーション補正、色収差補正、周辺光量補正、色にじみ補正等を処理するものが好ましい。
【００５８】
なお、これらの更新タイミング制御手段２１、明るさ調整手段２２及び画像補正処理手段２３は、すべて備える必要はなく、１つ又は２つ組み合わせて備えてもよい。また、複数備えた場合であっても、１つのみで処理したり、２つ又はすべてを組み合わせて処理してもよい。
【００５９】
図４は、本発明に係るビューファインダーＶに関わる撮像装置Ｃの第２実施形態のシステムブロック図である。第２実施形態では、ビューファインダーＶの液晶表示素子ＬＣＤよりも画素数の少ない背面画像表示素子Ｄを有する。そして、背面画像表示素子Ｄを処理する図示しない背面画像表示素子処理手段によりビューファインダーＶの液晶表示素子ＬＣＤを処理するように切り換える背面画像表示素子モード切替手段３１を有する。例えば、モード切替手段２によってＥＶＦ省エネモードに切り替えられた場合、液晶表示素子Ｌ
ＣＤの画素数を、背面画像表示素子Ｄの画素数と同じ画素数に制御し、画面を粗くするものである。
【００６０】
図５は、本発明に係るビューファインダーＶに関わる撮像装置Ｃの第３実施形態のシステムブロック図である。第３実施形態の撮像装置Ｃは、タイマ１１を有する。タイマ１１は、ＥＶＦ使用判断手段１により観察者がビューファインダーＶを覗いていないと判断された状態の時間を監視するものである。例えば、タイマ１１の計測する時間により、処理制御手段２０による処理タイミングを変化させることができ、覗いていないと判断された状態が長く、タイマ１１の計測時間が長い場合、処理タイミングを遅くする等の制御が可能となる。
【００６１】
図６は、本発明に係るビューファインダーＶに関わる撮像装置Ｃの第４実施形態のシステムブロック図である。第４実施形態の撮像装置Ｃは、電池残量監視手段１２を有する。電池残量監視手段１２は、撮像装置Ｃに用いる電池の残量を監視するものである。例えば、電池の残量により、処理制御手段２０による処理タイミングを変化させることができ、電池残量監視手段１２により電池の残量が少ないと監視された場合、処理タイミングを遅くする等の制御が可能となる。
【００６２】
図７は、本発明に係るビューファインダーＶに関わる撮像装置Ｃの第５実施形態のシステムブロック図である。第５実施形態の撮像装置Ｃは、負荷監視手段１３を有する。負荷監視手段１３は、撮像装置Ｃにかかる負荷量を監視するものである。例えば、負荷量により、処理制御手段２０による処理タイミングを変化させることができ、負荷監視手段１３により撮像装置Ｃにかかる負荷量が多いと監視された場合、処理タイミングを遅くする等の制御が可能となる。
【００６３】
なお、撮像装置Ｃにかかる負荷量とは、消費電力、消費電流、処理量及び温度等である。消費電力と消費電流は、それぞれ電力計と電流計により計測される。また、処理量は、各処理の処理量をあらかじめ計測しておき、行われている処理の処理量を加算することで求めることが好ましい。さらに、温度は、ＩＣやＬＳＩ等の温度計から計測することが好ましい。
【００６４】
また、撮像装置Ｃは、ビューファインダーＶの液晶表示素子ＬＣＤの画素数を増加させることなく、表示画像の解像度を見かけ上向上させる解像を有する。例えば、解像手段の作動状態により、処理制御手段２０による処理タイミングを変化させることができ、解像手段が作動している状態では、処理タイミングを遅くする等の制御が可能となる。
【００６５】
さらに、本実施形態のビューファインダーＶは、以下の条件式（１）を満足することが好ましい。
０．３５＜Ｈ／ｆ＜０．７０                        ・・・（１）
ただし、Ｈは、液晶表示素子ＬＣＤの水平長、
ｆは、接眼の焦点距離、
である。
【００６６】
図８は、本発明の撮像装置の一例であるデジタルカメラの構成を示す図である。図８において、符号１１０は撮像装置であるデジタルカメラで、撮像光学系１０１と、フィルター１０２と、撮像素子１０３と、コントローラー１０４と、内蔵メモリー１０５と、電子ビューファインダー１０６と、インターフェイス１０７とより構成されている。
【００６７】
上記撮像装置において、撮像光学系１０１は複数の光学素子（レンズ等）にて構成されている。物体より発した光は、この撮像光学系１０１により集光され、この集光位置に物
体像が形成される。そして、この集光位置には、ＣＣＤ等の撮像素子１０３（受光面）が配置されている。撮像素子１０３は、規則正しく配置された光電変換素子の集まりよりなっている。また、モアレ現象の発生を防止するために、ローパス効果を持つフィルター１０２が撮像光学系１０１と撮像素子１０３の間に配置されている。また、赤外光をカットするための赤外カットフィルターを配置することもある。
【００６８】
撮像素子１０３に入射した光束は、その光電変換素子により電気信号（画像信号）に変換される。この電気信号は、コントローラー１０４に入力される。ここで、コントローラー１０４により、ガンマー補正や画像圧縮処理等の信号処理が電気信号に対して行なわれる。信号処理が施された電気信号は、内蔵メモリー１０５やインターフェイス１０７を介してパーソナルコンピューター１０９等に出力される。
【００６９】
電子ビューファインダー１０６は、照明系、画像表示素子及び接眼光学系（接眼レンズ）等で構成されている。ここで、接眼光学系には、上記実施例の接眼光学系Ｏが用いられている。また、画像表示素子としては、上記実施例の反射型表示素子が用いられている。この画像表示素子は、コントローラー１０４によって制御されている。このような構成により、電子ビューファインダー１０６では、撮像しようとする物体の像や撮像された画像を観察者が観察し得るようになっている。また、内蔵メモリー１０５から補助メモリー１０８へ画像データを送ることできる。一方、インターフェイス１０７からは同じ画像データをパーソナルコンピューター１０９へ送ることができる。
【００７０】
図９は、本発明の撮像装置を銀塩カメラに適用した場合の構成を示すものである。図９に示すように、銀塩カメラ１２０は、撮像光学系１１１と、フィルム１１２と、対物レンズ１１３と、ＣＣＤ等の撮像素子１１４と、第１のコントローラー１１５と、他の第２のコントローラー１１６とを有する。そしてさらに、図１８のデジタルカメラと同様に、内蔵メモリー１０５と、電子ビューファインダー１０６とを備えている。なお、図示されているように、撮像光学系１１１と対物レンズ１１３とは、別の異なる光学系である。
【００７１】
この図９に示す銀塩カメラ１２０では、物体からの光束は撮像光学系１１１により集光され、この集光位置（第１集光位置）に物体像が形成される。第１集光位置には、フィルム１１２が配置されている。また、物体より発した光束は、対物レンズ１１３により集光され、この集光位置（第２集光位置）に物体像が形成される。この第２集光位置には、ＣＣＤ等の撮像素子１１４が配置されている。撮像素子１１４は、規則正しく配置された光電変換素子の集まりよりなっている。
【００７２】
この撮像素子１１４に入射した光束は、光電変換素子にて電気信号（画像信号）に変換される。この電気信号は、第１のコントローラー１１５に入力される。この第１のコントローラー１１５により、ガンマー補正や画像圧縮処理等の信号処理が行なわれる。信号処理が施された電気信号は、画像表示素子へ送られる。上述のように、電子ビューファインダー１０６は、照明系、画像表示素子及び接眼光学系（接眼レンズ）等で構成されている。接眼光学系には、本実施形態の接眼光学系Ｏが用いられている。この電子ビューファインダー１０６を介して、撮像しようとする物体の像を撮像者は観察し得る。
【００７３】
一方、内蔵メモリー１０５に蓄積された情報等を用いて、撮像で得られた画像を使用者（観察者）は観察し得る。このような制御は、第１のコントローラー１１５により行なわれる。
【００７４】
また、撮像光学系１１１を制御するためのものとして、第２のコントローラー１１６を備えている。第２のコントローラー１１６は、撮像光学系１１１に対してズーミングやフォーカシング等の動作を行わせる。ズーミングやフォーカシング等の情報は、この第２の
コントローラー１１６からの信号を基に第１のコントローラー１１５にて認識される。第１のコントローラー１１５は、この認識により、画像表示素子に表示する像を撮像画角（ズーミング）に合わせて調節し得る。また、フォーカシング等の情報に基づいて、画像表示素子に表示される像の範囲の補正（パララックス補正）を行なうようにしてもよい。また、第１のコントローラー１１５よりの信号は、内蔵メモリー１０５や図示してないインターフェイスへ送られるようにしても良い。そして、これらの信号（情報）を、インターフェイスを介してパーソナルコンピューター等に出力するようにしてもよい。
【００７５】
また、撮像光学系１１１とフィルム１１２の間に光路分割素子を配置しても良い。この光路分割素子を介して物体からの光束をファインダー用に導き、撮像素子１１４に物体の像を形成しても良い。そして、この物体像を基に観察を行なうようにしてもよい。この場合、対物レンズ１１３を用いる必要が無い。
【図面の簡単な説明】
【００７６】
【図１】本発明の実施形態に係る撮像装置を示す図である。
【図２】本発明に係るビューファインダーに関わる撮像装置の第１実施形態のシステムブロック図である。
【図３】図２のシステムブロック図の処理制御手段をより具体的に示したものである。
【図４】本発明に係るビューファインダーに関わる撮像装置の第２実施形態のシステムブロック図である。
【図５】本発明に係るビューファインダーに関わる撮像装置の第３実施形態のシステムブロック図である。
【図６】本発明に係るビューファインダーに関わる撮像装置の第４実施形態のシステムブロック図である。
【図７】本発明に係るビューファインダーに関わる撮像装置の第５実施形態のシステムブロック図である。
【図８】本発明の撮像装置の一例であるデジタルカメラの構成を示す図である。
【図９】本発明の撮像装置を銀塩カメラに適用した場合の構成を示す図である。
【符号の説明】
【００７７】
Ｃ…撮像装置
Ｃ１…本体
Ｖ…ビューファインダー
Ｄ…背面画像表示素子
ＬＣＤ…液晶表示素子
Ｏ…接眼光学系
Ｐ…接眼部
１…ＥＶＦ使用判断手段（使用判断手段）
２…モード切替手段
１１…タイマ
１２…電池残量監視手段
１３…負荷監視手段
２０…処理制御手段
２１…更新タイミング制御手段
２２…明るさ調整手段
２３…画像補正処理手段
３１…背面画像表示素子モード切替手段
１０１…撮像光学系
１０２…フィルター
１０３…撮像素子
１０４…コントローラー
１０５…内蔵メモリー
１０６…電子ビューファインダー
１０７…インターフェイス
１０８…補助メモリー
１０９…パーソナルコンピューター
１１０…デジタルカメラ
１１１…撮像光学系
１１２…フィルム
１１３…対物レンズ
１１４…撮像素子
１１５…第１のコントローラー
１１６…第２のコントローラー
１２０…銀塩カメラ
【図１】
2010062601.tif 000003
【図２】
2010062601.tif 000004
【図３】
2010062601.tif 000005
【図４】
2010062601.tif 000006
【図５】
2010062601.tif 000007
【図６】
2010062601.tif 000008
【図７】
2010062601.tif 000009
【図８】
2010062601.tif 000010
【図９】
2010062601.tif 000011